(57)【要約】【課題】本発明は懐中電灯を開示した。【解決手段】本発明は懐中電灯を開示し、取付殻を含み、前記取付殻には懐中電灯をいろんな環境に便利に置ける取付部品が設置され、前記取付部品は前記取付殻の右側端面にヒンジで取り付けられた挟み板を含み、前記挟み板は他の物品に挟め、前記取付殻の頂部端面には懐中電灯を他の物品に固定できる挟みブロックが固定的に取り付けられ、本発明は他の補助部品がいらない前提で、懐中電灯を他の物体に固定的に取り付け、懐中電灯の位置を固定した後、懐中電灯のライトの位置を好きに回転させ、使用の需要に適応し、普及する価値がある。【選択図】図１
2020181801.tif 000002
【特許請求の範囲】
【請求項１】
正面視で、取付殻を含み、前記取付殻には懐中電灯をいろんな環境に便利に置ける取付部品が設置され、前記取付部品は前記取付殻の右側端面にヒンジで取り付けられた挟み板を含み、前記挟み板は他の物品に挟め、前記取付殻の頂部端面には懐中電灯を他の物品に固定できる挟みブロックが固定的に取り付けられ、前記取付殻の中には前記取付殻を中心として対称になった支持棒溝が設置され、前記支持棒溝の中には支持棒がスライドできるように取り付けられ、前記支持棒の左側の端面には支持できる支持ブロックが固定的に取り付けられ、前記支持棒溝の中には雌ネジ山付歯車が回転できるように取り付けられ、前記雌ネジ山付歯車と前記支持棒とがネジ山によって連結され、前記取付殻の前後端面には懐中電灯を他の物体に縛り付ける縛り縄が前後に対称的に固定的に取り付けられ、前記取付殻の中には取付溝が設置され、前記取付溝の中には電池ケースとライトケースとがスライドできるように取り付けられ、前記電池ケースと取付溝との間には連結し合っている連結部品が設置され、前記連結部品は前記電池ケースと前記取付溝との間に固定的に取り付けられた軟質棒を含み、前記ライトケースの中にはライトを調節できる調節部品が設置され、前記調節部品は前記ライトケースの左側端面に設置されたライト溝を含み、前記ライト溝の右側の内壁の中には歯車チャンバが設置され、前記歯車チャンバの中にはライトを反射できる反射板がスライドできるように取り付けられ、前記反射板の左側の端面には弾性リングが固定的に取り付けられ、前記弾性リングと前記ライト溝の内壁との間がスライドできるように連結され、前記反射板が前記歯車チャンバの中で左右にスライドする時、反射するライトに収束や発散変化をさせ、懐中電灯の照射範囲の大きさの調節を実現でき、前記ライト溝の右側の内壁には電球が固定的に取り付けられ、前記ライト溝の中にはレンズカバーがスライドできるように取り付けられ、前記レンズカバーの中にはライトを収束また発散させるレンズが固定的に取り付けられ、前記レンズは光線を一定な範囲の中に制御できることを特徴とする懐中電灯。
【請求項２】
前記取付部品は前記挟み板に回転できるように取り付けられた回転棒を含み、前記挟み板と前記取付殻の左側端面との間にはねじりばねが固定的に取り付けられ、前記挟みブロックの中には弾性挟みリングが固定的に取り付けられ、異なった物体の大きさに対応でき、前記取付殻の頂部端面には取手が固定的に取り付けられ、前記取付殻には回転リングが回転できるように取り付けられ、前記回転リングの中には内歯車が設置され、前記回転リングの内歯車と前記雌ネジ山付歯車とが噛合していることを特徴とする請求項１に記載の懐中電灯。
【請求項３】
前記連結部品は前記軟質棒に固定的に取り付けられた位置制限板を含み、前記電池ケースと前記ライトケースとの間には変形できる密閉管が固定的に取り付けられ、前記取付溝の内壁には挟みリング溝が上下に対称的に設置され、前記挟みリング溝の一側端面には挟みリングが固定的に取り付けられ、前記挟みリング溝の一側の内壁の中には前記挟みリング溝と連通した押しブロック溝が設置され、前記押しブロック溝の中には押しブロックがスライドできるように取り付けられ、前記電池ケースと前記取付殻との間には緩衝ブロックがスライドできるように取り付けられ、前記電池ケースの中には蓄電池が固定的に設置されていることを防止することを特徴とする請求項１に記載の懐中電灯。
【請求項４】
前記調節部品は前記ライトケースの上側端面に設置された調節輪溝を含み、前記調節輪溝の左右の内壁の間には調節輪が回転できるように取り付けられ、前記調節輪の右側端面には第一歯車が固定的に取り付けられ、前記歯車チャンバの中には第二歯車がスライドできるように取り付けられ、前記第二歯車と前記第一歯車とが噛合し、前記第二歯車には螺旋状のネジ山溝が設置され、前記反射板には矩形溝が設置され、前記ネジ山溝と前記矩形溝との間がスライドできるように連結され、前記ライト溝は左側が右側より小さい円錐形空溝であり、前記ライトケースには調節スリーブが回転できるように取り付けられ、前記調節スリーブと前記レンズカバーとがネジ山によって取り付けられていることを特徴とする請求項１に記載の懐中電灯。
【発明の詳細な説明】
【技術分野】
【０００１】
本発明は照明の分野を取り上げて、具体的には懐中電灯である。
【背景技術】
【０００２】
現在使われている懐中電灯は一般的に直接に手に持ち、懐中電灯を他の所に置く時にはすごく不便であり、特別な補助の部品が必要であり、懐中電灯の位置を固定した後、光の位置を随意に回せなく、使用するのが大変不便である。
【先行技術文献】
【特許文献】
【０００３】
【特許文献１】中国特許出願公開第１０４１４１８８６号明細書
【発明の概要】
【発明が解決しようとする課題】
【０００４】
本発明の目的は懐中電灯を提供し、現有の技術の上記欠点を克服できる。
【課題を解決するための手段】
【０００５】
本発明の実施例における懐中電灯は、取付殻を含み、前記取付殻には懐中電灯をいろんな環境に便利に置ける取付部品が設置され、前記取付部品は前記取付殻の右側端面にヒンジで取り付けられた挟み板を含み、前記挟み板は他の物品に挟め、前記取付殻の頂部端面には懐中電灯を他の物品に固定できる挟みブロックが固定的に取り付けられ、前記取付殻の中には前記取付殻を中心として対称になった支持棒溝が設置され、前記支持棒溝の中には支持棒がスライドできるように取り付けられ、前記支持棒の左側の端面には支持できる支持ブロックが固定的に取り付けられ、前記支持棒溝の中には雌ネジ山付歯車が回転できるように取り付けられ、前記雌ネジ山付歯車と前記支持棒とがネジ山によって連結され、前記取付殻の前後端面には懐中電灯を他の物体に縛り付ける縛り縄が前後に対称的に固定的に取り付けられ、前記取付殻の中には取付溝が設置され、前記取付溝の中には電池ケースとライトケースとがスライドできるように取り付けられ、前記電池ケースと取付溝との間には連結し合っている連結部品が設置され、前記連結部品は前記電池ケースと前記取付溝との間に固定的に取り付けられた軟質棒を含み、前記ライトケースの中にはライトを調節できる調節部品が設置され、前記調節部品は前記ライトケースの左側端面に設置されたライト溝を含み、前記ライト溝の右側の内壁の中には歯車チャンバが設置され、前記歯車チャンバの中にはライトを反射できる反射板がスライドできるように取り付けられ、前記反射板の左側の端面には弾性リングが固定的に取り付けられ、前記弾性リングと前記ライト溝の内壁との間がスライドできるように連結され、前記反射板が前記歯車チャンバの中で左右にスライドする時、反射するライトに収束や発散変化をさせ、懐中電灯の照射範囲の大きさの調節を実現でき、前記ライト溝の右側の内壁には電球が固定的に取り付けられ、前記ライト溝の中にはレンズカバーがスライドできるように取り付けられ、前記レンズカバーの中にはライトを収束また発散させるレンズが固定的に取り付けられ、前記レンズは光線を一定な範囲の中に制御できる。
【０００６】
更なる技術方案、前記取付部品は前記挟み板に回転できるように取り付けられた回転棒を含み、前記挟み板と前記取付殻の左側端面との間にはねじりばねが固定的に取り付けられ、前記挟みブロックの中には弾性挟みリングが固定的に取り付けられ、異なった物体の大きさに対応でき、前記取付殻の頂部端面には取手が固定的に取り付けられ、前記取付殻には回転リングが回転できるように取り付けられ、前記回転リングの中には内歯車が設置され、前記回転リングの内歯車と前記雌ネジ山付歯車とが噛合している。
【０００７】
更なる技術方案、前記連結部品は前記軟質棒に固定的に取り付けられた位置制限板を含み、前記電池ケースと前記ライトケースとの間には変形できる密閉管が固定的に取り付けられ、前記取付溝の内壁には挟みリング溝が上下に対称的に設置され、前記挟みリング溝の一側端面には挟みリングが固定的に取り付けられ、前記挟みリング溝の一側の内壁の中には前記挟みリング溝と連通した押しブロック溝が設置され、前記押しブロック溝の中には押しブロックがスライドできるように取り付けられ、前記電池ケースと前記取付殻との間には緩衝ブロックがスライドできるように取り付けられ、前記電池ケースの中には蓄電池が固定的に設置されている。
【０００８】
更なる技術方案、前記調節部品は前記ライトケースの上側端面に設置された調節輪溝を含み、前記調節輪溝の左右の内壁の間には調節輪が回転できるように取り付けられ、前記調節輪の右側端面には第一歯車が固定的に取り付けられ、前記歯車チャンバの中には第二歯車がスライドできるように取り付けられ、前記第二歯車と前記第一歯車とが噛合し、前記第二歯車には螺旋状のネジ山溝が設置され、前記反射板には矩形溝が設置され、前記ネジ山溝と前記矩形溝との間がスライドできるように連結され、前記ライト溝は左側が右側より小さい円錐形空溝であり、前記ライトケースには調節スリーブが回転できるように取り付けられ、前記調節スリーブと前記レンズカバーとがネジ山によって取り付けられている。
【発明の効果】
【０００９】
本発明の有益な効果は、本発明は他の補助部品がいらない前提で、懐中電灯を他の物体に固定的に取り付け、懐中電灯の位置を固定した後、懐中電灯のライトの位置を好きに回転させ、使用の需要に適応し、普及する価値がある。
【図面の簡単な説明】
【００１０】
下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の全体構造模式図
【図２】図２は図１のＡーＡの方向の断面構造模式図
【図３】図３は図１のＢの方向の構造模式図
【図４】図４は図１のＣーＣの方向の断面構造模式図
【図５】図５は図１のＤーＤの方向の断面構造模式図
【図６】図６は図１のＥの拡大構造模式図
【発明を実施するための形態】
【００１２】
図１〜６を参考して、本発明の実施例における懐中電灯は、取付殻１０を含み、前記取付殻１０には懐中電灯をいろんな環境に便利に置ける取付部品８０が設置され、前記取付部品８０は前記取付殻１０の右側端面にヒンジで取り付けられた挟み板１２を含み、前記挟み板１２は他の物品に挟め、前記取付殻１０の頂部端面には懐中電灯を他の物品に固定できる挟みブロック１１が固定的に取り付けられ、前記取付殻１０の中には前記取付殻１０を中心として対称になった支持棒溝１６が設置され、前記支持棒溝１６の中には支持棒１７がスライドできるように取り付けられ、前記支持棒１７の左側の端面には支持できる支持ブロック２０が固定的に取り付けられ、前記支持棒溝１６の中には雌ネジ山付歯車１９が回転できるように取り付けられ、前記雌ネジ山付歯車１９と前記支持棒１７とがネジ山によって連結され、前記取付殻１０の前後端面には懐中電灯を他の物体に縛り付ける縛り縄４４が前後に対称的に固定的に取り付けられ、前記取付殻１０の中には取付溝１４が設置され、前記取付溝２４の中には電池ケース２５とライトケース４２とがスライドできるように取り付けられ、前記電池ケース２５と取付溝２４との間には連結し合っている連結部品８１が設置され、前記連結部品８１は前記電池ケース２５と前記取付溝２４との間に固定的に取り付けられた軟質棒２９を含み、前記ライトケース４２の中にはライトを調節できる調節部品８２が設置され、前記調節部品８２は前記ライトケース４２の左側端面に設置されたライト溝３６を含み、前記ライト溝３６の右側の内壁の中には歯車チャンバ３４が設置され、前記歯車チャンバ３４の中にはライトを反射できる反射板３５がスライドできるように取り付けられ、前記反射板３５の左側の端面には弾性リング３７が固定的に取り付けられ、前記弾性リング３７と前記ライト溝３６の内壁との間がスライドできるように連結され、前記反射板３５が前記歯車チャンバ３４の中で左右にスライドする時、反射するライトに収束や発散変化をさせ、懐中電灯の照射範囲の大きさの調節を実現でき、前記ライト溝３６の右側の内壁には電球３８が固定的に取り付けられ、前記ライト溝３６の中にはレンズカバー４０がスライドできるように取り付けられ、前記レンズカバー４０の中にはライトを収束また発散させるレンズ３９が固定的に取り付けられ、前記レンズ３９は光線を一定な範囲の中に制御できる。
【００１３】
前記取付部品８０は前記挟み板１２に回転できるように取り付けられた回転棒１３を含み、前記挟み板１２と前記取付殻１０の左側端面との間にはねじりばね１４が固定的に取り付けられ、前記挟みブロック１１の中には弾性挟みリング４３が固定的に取り付けられ、異なった物体の大きさに対応でき、前記取付殻１０の頂部端面には取手１５が固定的に取り付けられ、前記取付殻１０には回転リング１８が回転できるように取り付けられ、前記回転リング１８の中には内歯車が設置され、前記回転リング１８の内歯車と前記雌ネジ山付歯車１９とが噛合しており、使用する時、挟み板１２が懐中電灯を他の物品に挟み、回転棒１３を回転させ、挟み板１２を水平又は垂直状態にさせ、水平な卓上に置くことに便利を与え、弾性挟みリング４３が固定する場所の大きさによって懐中電灯を固定でき、縛り縄４４が懐中電灯を他の物体に固定的に取り付けられる。
【００１４】
前記連結部品８１は前記軟質棒２９に固定的に取り付けられた位置制限板３０を含み、前記電池ケース２５と前記ライトケース４２との間には変形できる密閉管２２が固定的に取り付けられ、前記取付溝２４の内壁には挟みリング溝４５が上下に対称的に設置され、前記挟みリング溝４５の一側端面には挟みリング２８が固定的に取り付けられ、前記挟みリング溝４５の一側の内壁の中には前記挟みリング溝４５と連通した押しブロック溝２７が設置され、前記押しブロック溝２７の中には押しブロック２６がスライドできるように取り付けられ、前記電池ケース２５と前記取付殻１０との間には緩衝ブロック２１がスライドできるように取り付けられ、前記電池ケース２５の中には蓄電池２３が固定的に設置され、それにより押しブロック２６を押し、挟みリング２８がライトケース４２をきつく挟み、電池ケース２５とライトケース４２とを左側に引き出した後、電池ケース２５はまだ取付溝２４の中に置かれており、ライトケース４２を回し、ライトケース４２が電池ケース２５に対して任意の角度で回転でき、それにより照射方向を任意に変えられ、緩衝ブロック２１により電池ケース２５と取付殻１０との間に大きい摩擦力があり、電池ケース２５が取付溝２４の中から直接に滑り出すことを防止する。
【００１５】
前記調節部品８２は前記ライトケース４２の上側端面に設置された調節輪溝５０を含み、前記調節輪溝５０の左右の内壁の間には調節輪３１が回転できるように取り付けられ、前記調節輪３１の右側端面には第一歯車３２が固定的に取り付けられ、前記歯車チャンバ３４の中には第二歯車３３がスライドできるように取り付けられ、前記第二歯車３３と前記第一歯車３２とが噛合し、前記第二歯車３３には螺旋状のネジ山溝４６が設置され、前記反射板３５には矩形溝４７が設置され、前記ネジ山溝４６と前記矩形溝４７との間がスライドできるように連結され、前記ライト溝３６は左側が右側より小さい円錐形空溝であり、前記ライトケース４２には調節スリーブ４１が回転できるように取り付けられ、前記調節スリーブ４１と前記レンズカバー４０とがネジ山によって取り付けられ、それにより調節輪３１を回転させる時、第一歯車３２が第二歯車３３を回転連動させ、第二歯車３３が回転して反射板３５を左右にスライド連動させ、反射板３５が右にスライドする時、弾性リング３７が緩められ、反射板の集光程度が小さく、照射の範囲を広げ、反射板３５が左にスライドする時、反射板３５の集光程度が大きく、照射の範囲を縮め、調節スリーブ４１を回転させて調節する時、レンズ３９が光線を一定な範囲の中に制御できる。
【００１６】
使用する時、挟み板１２は懐中電灯を他の物体に挟み、回転棒１３を回転させ、挟み板１２を水平又は垂直状態にさせ、水平な卓上に置くことに便利を与え、弾性挟みリング４３が固定する場所の大きさによって懐中電灯を固定でき、縛り縄４４により懐中電灯を他の物体に固定的に取り付け、懐中電灯を他の物体に固定した後、押しブロック２６を押し、挟みリング２８がライトケース４２を挟まなくなり、電池ケース２５とライトケース４２を左側に引き出し、ライトケース４２を回し、ライトケース４２が電池ケース２５に対して任意の角度で回転でき、それにより照射方向を任意に変えられ、緩衝ブロック２１により電池ケース２５と取付殻１０との間により大きい摩擦力があり、取付溝２４の中から電池ケース２５が直接に滑り出すことを防止し、ライトの照射範囲を調節する時、調節輪３１を回転させ、反射板３５を歯車チャンバ３４の中で左右にスライドさせ、反射板３５が右にスライドする時、弾性リング３７が緩められ、反射板の集光程度が小さく、照射の範囲を広げ、反射板３５が左にスライドする時、反射板３５の集光程度が大きく、照射の範囲を縮め、調節スリーブ４１を回転させて調節する時、レンズ３９が光線を一定な範囲の中に制御できる。
【００１７】
本発明の有益な効果は、本発明は他の補助部品がいらない前提で、懐中電灯を他の物体に固定的に取り付け、懐中電灯の位置を固定した後、懐中電灯のライトの位置を好きに回転させ、使用の需要に適応し、普及する価値がある。
【００１８】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020181801.tif 000003
【図２】
2020181801.tif 000004
【図３】
2020181801.tif 000005
【図４】
2020181801.tif 000006
【図５】
2020181801.tif 000007
【図６】
2020181801.tif 000008
【手続補正書】
【提出日】令和1年12月19日(2019.12.19)
【手続補正１】
【補正対象書類名】特許請求の範囲
【補正対象項目名】全文
【補正方法】変更
【補正の内容】
【特許請求の範囲】
【請求項１】
正面視で、取付殻を含み、前記取付殻には懐中電灯をいろんな環境に便利に置ける取付部品が設置され、前記取付部品は前記取付殻の右側端面にヒンジで取り付けられた挟み板を含み、前記挟み板は他の物品に挟め、前記取付殻の頂部端面には懐中電灯を他の物品に固定できる挟みブロックが固定的に取り付けられ、前記取付殻の中には前記取付殻を中心として対称になった支持棒溝が設置され、前記支持棒溝の中には支持棒がスライドできるように取り付けられ、前記支持棒の左側の端面には支持できる支持ブロックが固定的に取り付けられ、前記支持棒溝の中には雌ネジ山付歯車が回転できるように取り付けられ、前記雌ネジ山付歯車と前記支持棒とがネジ山によって連結され、前記取付殻の前後端面には懐中電灯を他の物体に縛り付ける縛り縄が前後に対称的に固定的に取り付けられ、前記取付殻の中には取付溝が設置され、前記取付溝の中には電池ケースとライトケースとがスライドできるように取り付けられ、前記電池ケースと取付溝との間には連結し合っている連結部品が設置され、前記連結部品は前記電池ケースと前記ライトケースとの間に固定的に取り付けられた軟質棒を含み、前記ライトケースの中にはライトを調節できる調節部品が設置され、前記調節部品は前記ライトケースの左側端面に設置されたライト溝を含み、前記ライト溝の右側の内壁の中には歯車チャンバが設置され、前記歯車チャンバの中にはライトを反射できる反射板がスライドできるように取り付けられ、前記反射板の左側の端面には弾性リングが固定的に取り付けられ、前記弾性リングと前記ライト溝の内壁との間がスライドできるように連結され、前記反射板が前記歯車チャンバの中で左右にスライドする時、反射するライトに収束や発散変化をさせ、懐中電灯の照射範囲の大きさの調節を実現でき、前記ライト溝の右側の内壁には電球が固定的に取り付けられ、前記ライト溝の中にはレンズカバーがスライドできるように取り付けられ、前記レンズカバーの中にはライトを収束また発散させるレンズが固定的に取り付けられ、前記レンズは光線を一定な範囲の中に制御できることを特徴とする懐中電灯。
【請求項２】
前記取付部品は前記挟み板に回転できるように取り付けられた回転棒を含み、前記挟み板と前記取付殻の左側端面との間にはねじりばねが固定的に取り付けられ、前記挟みブロックの中には弾性挟みリングが固定的に取り付けられ、異なった物体の大きさに対応でき、前記取付殻の頂部端面には取手が固定的に取り付けられ、前記取付殻には回転リングが回転できるように取り付けられ、前記回転リングの中には内歯車が設置され、前記回転リングの内歯車と前記雌ネジ山付歯車とが噛合していることを特徴とする請求項１に記載の懐中電灯。
【請求項３】
前記連結部品は前記軟質棒に固定的に取り付けられた位置制限板を含み、前記電池ケースと前記ライトケースとの間には変形できる密閉管が固定的に取り付けられ、前記取付溝の内壁には挟みリング溝が上下に対称的に設置され、前記挟みリング溝の一側端面には挟みリングが固定的に取り付けられ、前記挟みリング溝の一側の内壁の中には前記挟みリング溝と連通した押しブロック溝が設置され、前記押しブロック溝の中には押しブロックがスライドできるように取り付けられ、前記電池ケースと前記取付殻との間には緩衝ブロックがスライドできるように取り付けられ、前記電池ケースの中には蓄電池が固定的に設置されていることを特徴とする請求項１に記載の懐中電灯。
【請求項４】
前記調節部品は前記ライトケースの上側端面に設置された調節輪溝を含み、前記調節輪溝の左右の内壁の間には調節輪が回転できるように取り付けられ、前記調節輪の右側端面には第一歯車が固定的に取り付けられ、前記歯車チャンバの中には第二歯車が回転できるように取り付けられ、前記第二歯車と前記第一歯車とが噛合し、前記第二歯車には螺旋状のネジ山溝が設置され、前記反射板には矩形溝が設置され、前記ネジ山溝と前記矩形溝との間がスライドできるように連結され、前記ライト溝は左側が右側より小さい円錐形空溝であり、前記ライトケースには調節スリーブが回転できるように取り付けられ、前記調節スリーブと前記レンズカバーとがネジ山によって取り付けられていることを特徴とする請求項１に記載の懐中電灯。
【手続補正２】
【補正対象書類名】明細書
【補正対象項目名】全文
【補正方法】変更
【補正の内容】
【発明の詳細な説明】
【技術分野】
【０００１】
本発明は照明の分野を取り上げて、具体的には懐中電灯である。
【背景技術】
【０００２】
現在使われている懐中電灯は一般的に直接に手に持ち、懐中電灯を他の所に置く時にはすごく不便であり、特別な補助の部品が必要であり、懐中電灯の位置を固定した後、光の位置を随意に回せなく、使用するのが大変不便である。
【先行技術文献】
【特許文献】
【０００３】
【特許文献１】中国特許出願公開第１０４１４１８８６号明細書
【発明の概要】
【発明が解決しようとする課題】
【０００４】
本発明の目的は懐中電灯を提供し、現有の技術の上記欠点を克服できる。
【課題を解決するための手段】
【０００５】
本発明の実施例における懐中電灯は、取付殻を含み、前記取付殻には懐中電灯をいろんな環境に便利に置ける取付部品が設置され、前記取付部品は前記取付殻の右側端面にヒンジで取り付けられた挟み板を含み、前記挟み板は他の物品に挟め、前記取付殻の頂部端面には懐中電灯を他の物品に固定できる挟みブロックが固定的に取り付けられ、前記取付殻の中には前記取付殻を中心として対称になった支持棒溝が設置され、前記支持棒溝の中には支持棒がスライドできるように取り付けられ、前記支持棒の左側の端面には支持できる支持ブロックが固定的に取り付けられ、前記支持棒溝の中には雌ネジ山付歯車が回転できるように取り付けられ、前記雌ネジ山付歯車と前記支持棒とがネジ山によって連結され、前記取付殻の前後端面には懐中電灯を他の物体に縛り付ける縛り縄が前後に対称的に固定的に取り付けられ、前記取付殻の中には取付溝が設置され、前記取付溝の中には電池ケースとライトケースとがスライドできるように取り付けられ、前記電池ケースと取付溝との間には連結し合っている連結部品が設置され、前記連結部品は前記電池ケースと前記ライトケースとの間に固定的に取り付けられた軟質棒を含み、前記ライトケースの中にはライトを調節できる調節部品が設置され、前記調節部品は前記ライトケースの左側端面に設置されたライト溝を含み、前記ライト溝の右側の内壁の中には歯車チャンバが設置され、前記歯車チャンバの中にはライトを反射できる反射板がスライドできるように取り付けられ、前記反射板の左側の端面には弾性リングが固定的に取り付けられ、前記弾性リングと前記ライト溝の内壁との間がスライドできるように連結され、前記反射板が前記歯車チャンバの中で左右にスライドする時、反射するライトに収束や発散変化をさせ、懐中電灯の照射範囲の大きさの調節を実現でき、前記ライト溝の右側の内壁には電球が固定的に取り付けられ、前記ライト溝の中にはレンズカバーがスライドできるように取り付けられ、前記レンズカバーの中にはライトを収束また発散させるレンズが固定的に取り付けられ、前記レンズは光線を一定な範囲の中に制御できる。
【０００６】
更なる技術方案、前記取付部品は前記挟み板に回転できるように取り付けられた回転棒を含み、前記挟み板と前記取付殻の左側端面との間にはねじりばねが固定的に取り付けられ、前記挟みブロックの中には弾性挟みリングが固定的に取り付けられ、異なった物体の大きさに対応でき、前記取付殻の頂部端面には取手が固定的に取り付けられ、前記取付殻には回転リングが回転できるように取り付けられ、前記回転リングの中には内歯車が設置され、前記回転リングの内歯車と前記雌ネジ山付歯車とが噛合している。
【０００７】
更なる技術方案、前記連結部品は前記軟質棒に固定的に取り付けられた位置制限板を含み、前記電池ケースと前記ライトケースとの間には変形できる密閉管が固定的に取り付けられ、前記取付溝の内壁には挟みリング溝が上下に対称的に設置され、前記挟みリング溝の一側端面には挟みリングが固定的に取り付けられ、前記挟みリング溝の一側の内壁の中には前記挟みリング溝と連通した押しブロック溝が設置され、前記押しブロック溝の中には押しブロックがスライドできるように取り付けられ、前記電池ケースと前記取付殻との間には緩衝ブロックがスライドできるように取り付けられ、前記電池ケースの中には蓄電池が固定的に設置されている。
【０００８】
更なる技術方案、前記調節部品は前記ライトケースの上側端面に設置された調節輪溝を含み、前記調節輪溝の左右の内壁の間には調節輪が回転できるように取り付けられ、前記調節輪の右側端面には第一歯車が固定的に取り付けられ、前記歯車チャンバの中には第二歯車が回転できるように取り付けられ、前記第二歯車と前記第一歯車とが噛合し、前記第二歯車には螺旋状のネジ山溝が設置され、前記反射板には矩形溝が設置され、前記ネジ山溝と前記矩形溝との間がスライドできるように連結され、前記ライト溝は左側が右側より小さい円錐形空溝であり、前記ライトケースには調節スリーブが回転できるように取り付けられ、前記調節スリーブと前記レンズカバーとがネジ山によって取り付けられている。
【発明の効果】
【０００９】
本発明の有益な効果は、本発明は他の補助部品がいらない前提で、懐中電灯を他の物体に固定的に取り付け、懐中電灯の位置を固定した後、懐中電灯のライトの位置を好きに回転させ、使用の需要に適応し、普及する価値がある。
【図面の簡単な説明】
【００１０】
下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の全体構造模式図
【図２】図２は図１のＡーＡの方向の断面構造模式図
【図３】図３は図１のＢの方向の構造模式図
【図４】図４は図１のＣーＣの方向の断面構造模式図
【図５】図５は図１のＤーＤの方向の断面構造模式図
【図６】図６は図１のＥの拡大構造模式図
【発明を実施するための形態】
【００１２】
図１〜６を参考して、本発明の実施例における懐中電灯は、取付殻１０を含み、前記取付殻１０には懐中電灯をいろんな環境に便利に置ける取付部品８０が設置され、前記取付部品８０は前記取付殻１０の右側端面にヒンジで取り付けられた挟み板１２を含み、前記挟み板１２は他の物品に挟め、前記取付殻１０の頂部端面には懐中電灯を他の物品に固定できる挟みブロック１１が固定的に取り付けられ、前記取付殻１０の中には前記取付殻１０を中心として対称になった支持棒溝１６が設置され、前記支持棒溝１６の中には支持棒１７がスライドできるように取り付けられ、前記支持棒１７の左側の端面には支持できる支持ブロック２０が固定的に取り付けられ、前記支持棒溝１６の中には雌ネジ山付歯車１９が回転できるように取り付けられ、前記雌ネジ山付歯車１９と前記支持棒１７とがネジ山によって連結され、前記取付殻１０の前後端面には懐中電灯を他の物体に縛り付ける縛り縄４４が前後に対称的に固定的に取り付けられ、前記取付殻１０の中には取付溝１４が設置され、前記取付溝２４の中には電池ケース２５とライトケース４２とがスライドできるように取り付けられ、前記電池ケース２５と取付溝２４との間には連結し合っている連結部品８１が設置され、前記連結部品８１は前記電池ケース２５と前記ライトケース４２との間に固定的に取り付けられた軟質棒２９を含み、前記ライトケース４２の中にはライトを調節できる調節部品８２が設置され、前記調節部品８２は前記ライトケース４２の左側端面に設置されたライト溝３６を含み、前記ライト溝３６の右側の内壁の中には歯車チャンバ３４が設置され、前記歯車チャンバ３４の中にはライトを反射できる反射板３５がスライドできるように取り付けられ、前記反射板３５の左側の端面には弾性リング３７が固定的に取り付けられ、前記弾性リング３７と前記ライト溝３６の内壁との間がスライドできるように連結され、前記反射板３５が前記歯車チャンバ３４の中で左右にスライドする時、反射するライトに収束や発散変化をさせ、懐中電灯の照射範囲の大きさの調節を実現でき、前記ライト溝３６の右側の内壁には電球３８が固定的に取り付けられ、前記ライト溝３６の中にはレンズカバー４０がスライドできるように取り付けられ、前記レンズカバー４０の中にはライトを収束また発散させるレンズ３９が固定的に取り付けられ、前記レンズ３９は光線を一定な範囲の中に制御できる。
【００１３】
前記取付部品８０は前記挟み板１２に回転できるように取り付けられた回転棒１３を含み、前記挟み板１２と前記取付殻１０の左側端面との間にはねじりばね１４が固定的に取り付けられ、前記挟みブロック１１の中には弾性挟みリング４３が固定的に取り付けられ、異なった物体の大きさに対応でき、前記取付殻１０の頂部端面には取手１５が固定的に取り付けられ、前記取付殻１０には回転リング１８が回転できるように取り付けられ、前記回転リング１８の中には内歯車が設置され、前記回転リング１８の内歯車と前記雌ネジ山付歯車１９とが噛合しており、使用する時、挟み板１２が懐中電灯を他の物品に挟み、回転棒１３を回転させ、挟み板１２を水平又は垂直状態にさせ、水平な卓上に置くことに便利を与え、弾性挟みリング４３が固定する場所の大きさによって懐中電灯を固定でき、縛り縄４４が懐中電灯を他の物体に固定的に取り付けられる。
【００１４】
前記連結部品８１は前記軟質棒２９に固定的に取り付けられた位置制限板３０を含み、前記電池ケース２５と前記ライトケース４２との間には変形できる密閉管２２が固定的に取り付けられ、前記取付溝２４の内壁には挟みリング溝４５が上下に対称的に設置され、前記挟みリング溝４５の一側端面には挟みリング２８が固定的に取り付けられ、前記挟みリング溝４５の一側の内壁の中には前記挟みリング溝４５と連通した押しブロック溝２７が設置され、前記押しブロック溝２７の中には押しブロック２６がスライドできるように取り付けられ、前記電池ケース２５と前記取付殻１０との間には緩衝ブロック２１がスライドできるように取り付けられ、前記電池ケース２５の中には蓄電池２３が固定的に設置され、それにより押しブロック２６を押し、挟みリング２８がライトケース４２をきつく挟み、電池ケース２５とライトケース４２とを左側に引き出した後、電池ケース２５はまだ取付溝２４の中に置かれており、ライトケース４２を回し、ライトケース４２が電池ケース２５に対して任意の角度で回転でき、それにより照射方向を任意に変えられ、緩衝ブロック２１により電池ケース２５と取付殻１０との間に大きい摩擦力があり、電池ケース２５が取付溝２４の中から直接に滑り出すことを防止する。
【００１５】
前記調節部品８２は前記ライトケース４２の上側端面に設置された調節輪溝５０を含み、前記調節輪溝５０の左右の内壁の間には調節輪３１が回転できるように取り付けられ、前記調節輪３１の右側端面には第一歯車３２が固定的に取り付けられ、前記歯車チャンバ３４の中には第二歯車３３が回転できるように取り付けられ、前記第二歯車３３と前記第一歯車３２とが噛合し、前記第二歯車３３には螺旋状のネジ山溝４６が設置され、前記反射板３５には矩形溝４７が設置され、前記ネジ山溝４６と前記矩形溝４７との間がスライドできるように連結され、前記ライト溝３６は左側が右側より小さい円錐形空溝であり、前記ライトケース４２には調節スリーブ４１が回転できるように取り付けられ、前記調節スリーブ４１と前記レンズカバー４０とがネジ山によって取り付けられ、それにより調節輪３１を回転させる時、第一歯車３２が第二歯車３３を回転連動させ、第二歯車３３が回転して反射板３５を左右にスライド連動させ、反射板３５が右にスライドする時、弾性リング３７が緩められ、反射板の集光程度が小さく、照射の範囲を広げ、反射板３５が左にスライドする時、反射板３５の集光程度が大きく、照射の範囲を縮め、調節スリーブ４１を回転させて調節する時、レンズ３９が光線を一定な範囲の中に制御できる。
【００１６】
使用する時、挟み板１２は懐中電灯を他の物体に挟み、回転棒１３を回転させ、挟み板１２を水平又は垂直状態にさせ、水平な卓上に置くことに便利を与え、弾性挟みリング４３が固定する場所の大きさによって懐中電灯を固定でき、縛り縄４４により懐中電灯を他の物体に固定的に取り付け、懐中電灯を他の物体に固定した後、押しブロック２６を押し、挟みリング２８がライトケース４２を挟まなくなり、電池ケース２５とライトケース４２を左側に引き出し、ライトケース４２を回し、ライトケース４２が電池ケース２５に対して任意の角度で回転でき、それにより照射方向を任意に変えられ、緩衝ブロック２１により電池ケース２５と取付殻１０との間により大きい摩擦力があり、取付溝２４の中から電池ケース２５が直接に滑り出すことを防止し、ライトの照射範囲を調節する時、調節輪３１を回転させ、反射板３５を歯車チャンバ３４の中で左右にスライドさせ、反射板３５が右にスライドする時、弾性リング３７が緩められ、反射板の集光程度が小さく、照射の範囲を広げ、反射板３５が左にスライドする時、反射板３５の集光程度が大きく、照射の範囲を縮め、調節スリーブ４１を回転させて調節する時、レンズ３９が光線を一定な範囲の中に制御できる。
【００１７】
本発明の有益な効果は、本発明は他の補助部品がいらない前提で、懐中電灯を他の物体に固定的に取り付け、懐中電灯の位置を固定した後、懐中電灯のライトの位置を好きに回転させ、使用の需要に適応し、普及する価値がある。
【００１８】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【手続補正３】
【補正対象書類名】図面
【補正対象項目名】図２
【補正方法】変更
【補正の内容】
【図２】
2020181801.tif 000009
【手続補正４】
【補正対象書類名】図面
【補正対象項目名】図６
【補正方法】変更
【補正の内容】
【図６】
2020181801.tif 000010
【手続補正書】
【提出日】令和2年4月23日(2020.4.23)
【手続補正１】
【補正対象書類名】特許請求の範囲
【補正対象項目名】請求項２
【補正方法】変更
【補正の内容】
【請求項２】
前記取付部品は前記挟み板に回転できるように取り付けられた回転棒を含み、前記挟み板と前記取付殻の右側端面との間にはねじりばねが固定的に取り付けられ、前記挟みブロックの中には弾性挟みリングが固定的に取り付けられ、異なった物体の大きさに対応でき、前記取付殻の頂部端面には取手が固定的に取り付けられ、前記取付殻には回転リングが回転できるように取り付けられ、前記回転リングの中には内歯車が設置され、前記回転リングの内歯車と前記雌ネジ山付歯車とが噛合していることを特徴とする請求項１に記載の懐中電灯。
【手続補正２】
【補正対象書類名】明細書
【補正対象項目名】全文
【補正方法】変更
【補正の内容】
【発明の詳細な説明】
【技術分野】
【０００１】
本発明は照明の分野を取り上げて、具体的には懐中電灯である。
【背景技術】
【０００２】
現在使われている懐中電灯は一般的に直接に手に持ち、懐中電灯を他の所に置く時にはすごく不便であり、特別な補助の部品が必要であり、懐中電灯の位置を固定した後、光の位置を随意に回せなく、使用するのが大変不便である。
【先行技術文献】
【特許文献】
【０００３】
【特許文献１】中国特許出願公開第１０４１４１８８６号明細書
【発明の概要】
【発明が解決しようとする課題】
【０００４】
本発明の目的は懐中電灯を提供し、現有の技術の上記欠点を克服できる。
【課題を解決するための手段】
【０００５】
本発明の実施例における懐中電灯は、取付殻を含み、前記取付殻には懐中電灯をいろんな環境に便利に置ける取付部品が設置され、前記取付部品は前記取付殻の右側端面にヒンジで取り付けられた挟み板を含み、前記挟み板は他の物品に挟め、前記取付殻の頂部端面には懐中電灯を他の物品に固定できる挟みブロックが固定的に取り付けられ、前記取付殻の中には前記取付殻を中心として対称になった支持棒溝が設置され、前記支持棒溝の中には支持棒がスライドできるように取り付けられ、前記支持棒の左側の端面には支持できる支持ブロックが固定的に取り付けられ、前記支持棒溝の中には雌ネジ山付歯車が回転できるように取り付けられ、前記雌ネジ山付歯車と前記支持棒とがネジ山によって連結され、前記取付殻の前後端面には懐中電灯を他の物体に縛り付ける縛り縄が前後に対称的に固定的に取り付けられ、前記取付殻の中には取付溝が設置され、前記取付溝の中には電池ケースとライトケースとがスライドできるように取り付けられ、前記電池ケースと取付溝との間には連結し合っている連結部品が設置され、前記連結部品は前記電池ケースと前記ライトケースとの間に固定的に取り付けられた軟質棒を含み、前記ライトケースの中にはライトを調節できる調節部品が設置され、前記調節部品は前記ライトケースの左側端面に設置されたライト溝を含み、前記ライト溝の右側の内壁の中には歯車チャンバが設置され、前記歯車チャンバの中にはライトを反射できる反射板がスライドできるように取り付けられ、前記反射板の左側の端面には弾性リングが固定的に取り付けられ、前記弾性リングと前記ライト溝の内壁との間がスライドできるように連結され、前記反射板が前記歯車チャンバの中で左右にスライドする時、反射するライトに収束や発散変化をさせ、懐中電灯の照射範囲の大きさの調節を実現でき、前記ライト溝の右側の内壁には電球が固定的に取り付けられ、前記ライト溝の中にはレンズカバーがスライドできるように取り付けられ、前記レンズカバーの中にはライトを収束また発散させるレンズが固定的に取り付けられ、前記レンズは光線を一定な範囲の中に制御できる。
【０００６】
更なる技術方案、前記取付部品は前記挟み板に回転できるように取り付けられた回転棒を含み、前記挟み板と前記取付殻の右側端面との間にはねじりばねが固定的に取り付けられ、前記挟みブロックの中には弾性挟みリングが固定的に取り付けられ、異なった物体の大きさに対応でき、前記取付殻の頂部端面には取手が固定的に取り付けられ、前記取付殻には回転リングが回転できるように取り付けられ、前記回転リングの中には内歯車が設置され、前記回転リングの内歯車と前記雌ネジ山付歯車とが噛合している。
【０００７】
更なる技術方案、前記連結部品は前記軟質棒に固定的に取り付けられた位置制限板を含み、前記電池ケースと前記ライトケースとの間には変形できる密閉管が固定的に取り付けられ、前記取付溝の内壁には挟みリング溝が上下に対称的に設置され、前記挟みリング溝の一側端面には挟みリングが固定的に取り付けられ、前記挟みリング溝の一側の内壁の中には前記挟みリング溝と連通した押しブロック溝が設置され、前記押しブロック溝の中には押しブロックがスライドできるように取り付けられ、前記電池ケースと前記取付殻との間には緩衝ブロックがスライドできるように取り付けられ、前記電池ケースの中には蓄電池が固定的に設置されている。
【０００８】
更なる技術方案、前記調節部品は前記ライトケースの上側端面に設置された調節輪溝を含み、前記調節輪溝の左右の内壁の間には調節輪が回転できるように取り付けられ、前記調節輪の右側端面には第一歯車が固定的に取り付けられ、前記歯車チャンバの中には第二歯車が回転できるように取り付けられ、前記第二歯車と前記第一歯車とが噛合し、前記第二歯車には螺旋状のネジ山溝が設置され、前記反射板には矩形溝が設置され、前記ネジ山溝と前記矩形溝との間がスライドできるように連結され、前記ライト溝は左側が右側より小さい円錐形空溝であり、前記ライトケースには調節スリーブが回転できるように取り付けられ、前記調節スリーブと前記レンズカバーとがネジ山によって取り付けられている。
【発明の効果】
【０００９】
本発明の有益な効果は、本発明は他の補助部品がいらない前提で、懐中電灯を他の物体に固定的に取り付け、懐中電灯の位置を固定した後、懐中電灯のライトの位置を好きに回転させ、使用の需要に適応し、普及する価値がある。
【図面の簡単な説明】
【００１０】
下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の全体構造模式図
【図２】図２は図１のＡーＡの方向の断面構造模式図
【図３】図３は図１のＢの方向の構造模式図
【図４】図４は図１のＣーＣの方向の断面構造模式図
【図５】図５は図１のＤーＤの方向の断面構造模式図
【図６】図６は図１のＥの拡大構造模式図
【発明を実施するための形態】
【００１２】
図１〜６を参考して、本発明の実施例における懐中電灯は、取付殻１０を含み、前記取付殻１０には懐中電灯をいろんな環境に便利に置ける取付部品８０が設置され、前記取付部品８０は前記取付殻１０の右側端面にヒンジで取り付けられた挟み板１２を含み、前記挟み板１２は他の物品に挟め、前記取付殻１０の頂部端面には懐中電灯を他の物品に固定できる挟みブロック１１が固定的に取り付けられ、前記取付殻１０の中には前記取付殻１０を中心として対称になった支持棒溝１６が設置され、前記支持棒溝１６の中には支持棒１７がスライドできるように取り付けられ、前記支持棒１７の左側の端面には支持できる支持ブロック２０が固定的に取り付けられ、前記支持棒溝１６の中には雌ネジ山付歯車１９が回転できるように取り付けられ、前記雌ネジ山付歯車１９と前記支持棒１７とがネジ山によって連結され、前記取付殻１０の前後端面には懐中電灯を他の物体に縛り付ける縛り縄４４が前後に対称的に固定的に取り付けられ、前記取付殻１０の中には取付溝１４が設置され、前記取付溝２４の中には電池ケース２５とライトケース４２とがスライドできるように取り付けられ、前記電池ケース２５と取付溝２４との間には連結し合っている連結部品８１が設置され、前記連結部品８１は前記電池ケース２５と前記ライトケース４２との間に固定的に取り付けられた軟質棒２９を含み、前記ライトケース４２の中にはライトを調節できる調節部品８２が設置され、前記調節部品８２は前記ライトケース４２の左側端面に設置されたライト溝３６を含み、前記ライト溝３６の右側の内壁の中には歯車チャンバ３４が設置され、前記歯車チャンバ３４の中にはライトを反射できる反射板３５がスライドできるように取り付けられ、前記反射板３５の左側の端面には弾性リング３７が固定的に取り付けられ、前記弾性リング３７と前記ライト溝３６の内壁との間がスライドできるように連結され、前記反射板３５が前記歯車チャンバ３４の中で左右にスライドする時、反射するライトに収束や発散変化をさせ、懐中電灯の照射範囲の大きさの調節を実現でき、前記ライト溝３６の右側の内壁には電球３８が固定的に取り付けられ、前記ライト溝３６の中にはレンズカバー４０がスライドできるように取り付けられ、前記レンズカバー４０の中にはライトを収束また発散させるレンズ３９が固定的に取り付けられ、前記レンズ３９は光線を一定な範囲の中に制御できる。
【００１３】
前記取付部品８０は前記挟み板１２に回転できるように取り付けられた回転棒１３を含み、前記挟み板１２と前記取付殻１０の右側端面との間にはねじりばね１４が固定的に取り付けられ、前記挟みブロック１１の中には弾性挟みリング４３が固定的に取り付けられ、異なった物体の大きさに対応でき、前記取付殻１０の頂部端面には取手１５が固定的に取り付けられ、前記取付殻１０には回転リング１８が回転できるように取り付けられ、前記回転リング１８の中には内歯車が設置され、前記回転リング１８の内歯車と前記雌ネジ山付歯車１９とが噛合しており、使用する時、挟み板１２が懐中電灯を他の物品に挟み、回転棒１３を回転させ、挟み板１２を水平又は垂直状態にさせ、水平な卓上に置くことに便利を与え、弾性挟みリング４３が固定する場所の大きさによって懐中電灯を固定でき、縛り縄４４が懐中電灯を他の物体に固定的に取り付けられる。
【００１４】
前記連結部品８１は前記軟質棒２９に固定的に取り付けられた位置制限板３０を含み、前記電池ケース２５と前記ライトケース４２との間には変形できる密閉管２２が固定的に取り付けられ、前記取付溝２４の内壁には挟みリング溝４５が上下に対称的に設置され、前記挟みリング溝４５の一側端面には挟みリング２８が固定的に取り付けられ、前記挟みリング溝４５の一側の内壁の中には前記挟みリング溝４５と連通した押しブロック溝２７が設置され、前記押しブロック溝２７の中には押しブロック２６がスライドできるように取り付けられ、前記電池ケース２５と前記取付殻１０との間には緩衝ブロック２１がスライドできるように取り付けられ、前記電池ケース２５の中には蓄電池２３が固定的に設置され、それにより押しブロック２６を押し、挟みリング２８がライトケース４２をきつく挟み、電池ケース２５とライトケース４２とを左側に引き出した後、電池ケース２５はまだ取付溝２４の中に置かれており、ライトケース４２を回し、ライトケース４２が電池ケース２５に対して任意の角度で回転でき、それにより照射方向を任意に変えられ、緩衝ブロック２１により電池ケース２５と取付殻１０との間に大きい摩擦力があり、電池ケース２５が取付溝２４の中から直接に滑り出すことを防止する。
【００１５】
前記調節部品８２は前記ライトケース４２の上側端面に設置された調節輪溝５０を含み、前記調節輪溝５０の左右の内壁の間には調節輪３１が回転できるように取り付けられ、前記調節輪３１の右側端面には第一歯車３２が固定的に取り付けられ、前記歯車チャンバ３４の中には第二歯車３３が回転できるように取り付けられ、前記第二歯車３３と前記第一歯車３２とが噛合し、前記第二歯車３３には螺旋状のネジ山溝４６が設置され、前記反射板３５には矩形溝４７が設置され、前記ネジ山溝４６と前記矩形溝４７との間がスライドできるように連結され、前記ライト溝３６は左側が右側より小さい円錐形空溝であり、前記ライトケース４２には調節スリーブ４１が回転できるように取り付けられ、前記調節スリーブ４１と前記レンズカバー４０とがネジ山によって取り付けられ、それにより調節輪３１を回転させる時、第一歯車３２が第二歯車３３を回転連動させ、第二歯車３３が回転して反射板３５を左右にスライド連動させ、反射板３５が右にスライドする時、弾性リング３７が緩められ、反射板の集光程度が小さく、照射の範囲を広げ、反射板３５が左にスライドする時、反射板３５の集光程度が大きく、照射の範囲を縮め、調節スリーブ４１を回転させて調節する時、レンズ３９が光線を一定な範囲の中に制御できる。
【００１６】
使用する時、挟み板１２は懐中電灯を他の物体に挟み、回転棒１３を回転させ、挟み板１２を水平又は垂直状態にさせ、水平な卓上に置くことに便利を与え、弾性挟みリング４３が固定する場所の大きさによって懐中電灯を固定でき、縛り縄４４により懐中電灯を他の物体に固定的に取り付け、懐中電灯を他の物体に固定した後、押しブロック２６を押し、挟みリング２８がライトケース４２を挟まなくなり、電池ケース２５とライトケース４２を左側に引き出し、ライトケース４２を回し、ライトケース４２が電池ケース２５に対して任意の角度で回転でき、それにより照射方向を任意に変えられ、緩衝ブロック２１により電池ケース２５と取付殻１０との間により大きい摩擦力があり、取付溝２４の中から電池ケース２５が直接に滑り出すことを防止し、ライトの照射範囲を調節する時、調節輪３１を回転させ、反射板３５を歯車チャンバ３４の中で左右にスライドさせ、反射板３５が右にスライドする時、弾性リング３７が緩められ、反射板の集光程度が小さく、照射の範囲を広げ、反射板３５が左にスライドする時、反射板３５の集光程度が大きく、照射の範囲を縮め、調節スリーブ４１を回転させて調節する時、レンズ３９が光線を一定な範囲の中に制御できる。
【００１７】
本発明の有益な効果は、本発明は他の補助部品がいらない前提で、懐中電灯を他の物体に固定的に取り付け、懐中電灯の位置を固定した後、懐中電灯のライトの位置を好きに回転させ、使用の需要に適応し、普及する価値がある。
【００１８】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。